(57)【要約】【課題】透明又は不透明な樹脂製の包装材等に対して背景用インクを用いた表刷り印刷及び裏刷り印刷を行うことができ、かつ、小型、軽量のインクジェットプリンタを提供する。【解決手段】キャリッジ５上にプロセスカラーを吐出するプロセスカラー用記録ヘッド１０ａと背景用インクを吐出する背景インク用記録ヘッド１０ｂとを搭載するインクジェットプリンタ１において、プロセスカラー用記録ヘッド１０ａの主走査方向Ｘ上流側及び下流側に背景インク用記録ヘッド１０ｂをそれぞれ配置し、背景インク用記録ヘッド１０ｂの両側に紫外線を照射して記録媒体上に着弾したインクを硬化させる紫外線照射装置１３を配設する。【選択図】      図１
2004202864.tif 000002
【特許請求の範囲】
【請求項１】
キャリッジ上にプロセスカラーを吐出するプロセスカラー用記録ヘッドと背景用インクを吐出する背景インク用記録ヘッドとを搭載するインクジェットプリンタにおいて、
前記プロセスカラー用記録ヘッドの主走査方向の上流側及び下流側に前記背景インク用記録ヘッドをそれぞれ配置し、前記背景インク用記録ヘッドの両側に紫外線を照射して記録媒体上に着弾したインクを硬化させる紫外線照射装置を配設することを特徴とするインクジェットプリンタ。
【請求項２】
印刷モードの選択に応じて記録ヘッド及び紫外線照射装置の駆動を制御する制御装置を備えることを特徴とする請求項１に記載のインクジェットプリンタ。
【請求項３】
前記記録ヘッドは、主走査方向に往復駆動して記録を行うシリアルプリント方式であることを特徴とする請求項１又は２に記載のインクジェットプリンタ。
【請求項４】
前記インクは、紫外線を照射することによって硬化する特性を有する紫外線硬化インクであることを特徴とする請求項１から３のいずれか一項に記載のインクジェットプリンタ。
【請求項５】
前記背景用インクは、白色インクであることを特徴とする請求項１から４のいずれか一項に記載のインクジェットプリンタ。
【請求項６】
前記インクにより画像が記録される前記記録媒体は、透明又は半透明の樹脂製フィルムであることを特徴とする請求項１から５のいずれか一項に記載のインクジェットプリンタ。
【発明の詳細な説明】
【０００１】
【発明の属する技術分野】
本発明は、インクジェットプリンタに係り、特に、紫外線硬化インクを使用したインクジェットプリンタに関するものである。
【０００２】
【従来の技術】
一般に、樹脂製の包装材等にカラー印刷を行う場合、主にグラビア印刷によって印刷する方法が知られている。グラビア印刷は、版面に形成された凹部にインクを入れこれを記録媒体に直接転写する印刷方式であるが、色彩豊かに文字、記号及び絵等を表現できること、多量の記録媒体に高速印刷できること等がその特徴となっている。特に近時は様々な包装材に対して印刷することが行われ、このような場合にグラビア印刷は有用な印刷技術であるといえる。しかし、グラビア印刷は実際に印刷を行う前工程において版を作製することが必要であり、この版作製のためにコスト及び時間がかかる。そこで、少量多品種の印刷を行う場合には、版を必要とせず、透明又は不透明の包装材に対し臨機応変に対応して印刷できる手段が望まれる。
【０００３】
この点、様々な記録媒体に対して印刷を行うことのできる手段として、従来よりインクジェットプリンタによる印刷が知られている。インクジェットプリンタは、記録ヘッドの記録媒体に対向する面に設けられたノズルからインクを吐出して記録媒体上に着弾させ、定着させることにより記録媒体に画像を記録するものであるが、特に、樹脂フィルム等のインク吸収性の乏しい記録媒体に対しても画像を形成する方法として、従来からＵＶインクジェット記録方式のものが知られている（例えば、特許文献１参照）。これは、紫外線に対して所定の感度を有する光開始剤が含有された紫外線硬化インクを用い、記録媒体上に着弾したインクに紫外線を照射することで、インクを硬化させ記録媒体上に定着させるものであり、透明又は不透明の包装材に対しても簡易に印刷を行うことが可能である。
【０００４】
なお、透明の包装材に印刷を行う場合には、印刷面の擦過に対し耐久性を保持するため包装材の裏側に印刷を行うことがあり、これを「裏刷り」という。また、不透明の包装材に印刷を行う場合には、包装材の表側に印刷を行い、これを「表刷り」という。例えば、透明の包装材に対して白色等の特色を背景色として文字、記号及び絵等を印刷しようとする場合、裏刷りを行う際には、各色のカラーインクを先に印刷し、その後、白色等の背景用インクを印刷すればよく、また、表刷りを行う際には、白色等の背景用インクを先に印刷し、その後、各色のカラーインクを印刷すればよい。
【０００５】
【特許文献１】
特開昭６０−１３２７６７号公報
【０００６】
【発明が解決しようとする課題】
しかしながら、背景色として印刷する白色等の背景用インクは、記録媒体上でカラーインクと混ざり合うとカラーインク同士が混ざり合った場合と異なり、画像の滲み、ぼやけを生じて、印刷画質の低下を招くおそれがある。そのため、背景用インクが記録媒体上に着弾した後できるだけ早く紫外線を照射して完全に硬化、定着させる必要がある。また、背景色として白色等の背景用インクを印刷するためには、キャリッジ上に背景用インクの記録ヘッドを別途搭載しなければならないが、この背景用インクの記録ヘッドをカラーインクの記録ヘッドに対して記録媒体搬送方向の前後に配置すると、キャリッジが記録媒体搬送方向に沿って長くなり、キャリッジの安定性が低下する。そのため、キャリッジを支持するために複数のガイドレールを設ける等の必要が生じ、装置構造が複雑化することとなる。
また、この場合、プリンタの記録領域であるプラテンもキャリッジの長さ分広く設けなければならなくなり、かかる領域全体について平面性を保持する必要が生じる。そのため、装置の精度を維持して安定した画像記録を行おうとすると、装置が大型化、複雑化することとなり、これに伴って装置の製作コストも上昇するという問題があった。
【０００７】
そこで、本発明は以上のような課題を解決すべくなされたものであり、画像品質を維持しつつ、表刷り印刷及び裏刷り印刷を行うことができ、しかも小型、軽量のインクジェットプリンタを提供することを目的とするものである。
【０００８】
【課題を解決するための手段】
上記課題を解決するため、請求項１に記載の発明は、キャリッジ上にプロセスカラーを吐出するプロセスカラー用記録ヘッドと背景用インクを吐出する背景インク用記録ヘッドとを搭載するインクジェットプリンタにおいて、
前記プロセスカラー用記録ヘッドの主走査方向上流側及び下流側に前記背景インク用記録ヘッドをそれぞれ配置し、前記背景インク用記録ヘッドの両側に紫外線を照射して記録媒体上に着弾したインクを硬化させる紫外線照射装置を配設することを特徴としている。
【０００９】
このような構成を有する請求項１に記載の発明においては、背景インク用記録ヘッドをプロセスカラー用記録ヘッドの主走査方向に延在する位置に配置することにより記録ヘッドが記録媒体搬送方向に長くなることがなく、キャリッジが安定する点で優れている。
【００１０】
また、プロセスカラー用の記録ヘッドを一群として設け、背景インク用記録ヘッドをこれらプロセスカラー用の記録ヘッド群とは分離した位置に配置した上で、紫外線照射装置を背景インク用記録ヘッドの両側に配置している。これにより、背景用インクをインク着弾後、次にプロセスカラーインクが吐出される前に背景用インクを完全に硬化、定着させることが可能となる。
【００１１】
また、請求項２に記載の発明において、印刷モードの選択に応じて記録ヘッド及び紫外線照射装置の駆動を制御する制御装置を備えることを特徴としている。
【００１２】
したがって、請求項２に記載の発明では、希望する印刷モードを選択することにより、背景用インクを用いた表刷り及び裏刷りを容易に行うことが可能となる。
【００１３】
さらに、請求項３に記載の発明において、前記記録ヘッドは、主走査方向に往復駆動して記録を行うシリアルプリント方式であることを特徴としている。
【００１４】
このように、請求項３に記載の発明は、シリアルプリント方式のインクジェットプリンタの場合に背景用インクを用いた表刷り印刷及び裏刷り印刷を行うことができる。
【００１５】
さらに、請求項４に記載の発明において、前記インクは、紫外線を照射することによって硬化する特性を有する紫外線硬化インクであることを特徴としている。
【００１６】
したがって、請求項４に記載の発明によれば、紫外線硬化インクを用いた印刷を行う場合にも高画質な表刷り印刷及び裏刷り印刷を行うことができる。
【００１７】
また、請求項５に記載の発明は、前記背景用インクは、白色インクであることを特徴としている。
【００１８】
このように、請求項５に記載の発明によれば、背景用インクとして、白色インクを用いるので、プロセスカラーによって印刷される画像をより際立たせることができる。
【００１９】
さらに、請求項６に記載の発明において、前記インクにより画像が記録される前記記録媒体は、透明又は半透明の樹脂製フィルムであることを特徴としている。
【００２０】
このように、請求項６に記載の発明は、透明又は半透明の樹脂製フィルムに対して表刷り印刷及び裏刷り印刷を行うことができるので、軟包装素材に対する印刷にも対応することができる。
【００２１】
【発明の実施の形態】
まず、図１に示すように、本実施形態において、インクジェットプリンタ１は、シリアルプリント方式によるインクジェットプリンタ１であり、プリンタ本体２と、プリンタ本体２を下方から支持する支持台３とを備えている。プリンタ本体２の中央部には、記録媒体Ｐを非記録面から支持するプラテン７がプリンタ本体２の長手方向に延在するように配設されており、プラテン７の上方であって記録媒体Ｐの搬送方向上流にはプリンタ本体２の長手方向に延在する棒状のガイドレール４が設けられている。このガイドレール４には、キャリッジ５が図示しない駆動機構によってガイドレール４に沿って往復駆動自在に支持されている。ここで、キャリッジ５の往復方向をＸとし、記録媒体Ｐの搬送方向を副走査方向Ｙとする。
【００２２】
また、図１、図２に示すように、キャリッジ５のほぼ中央には、本実施形態におけるインクジェットプリンタ１で使用される４色（イエロー（Ｙ）、マゼンタ（Ｍ）、シアン（Ｃ）、ブラック（Ｋ）。以下プロセスカラーという）のインクに対応した４つの記録ヘッド１０ａを一群としたものが２セット設けられ、一方は前記副走査方向Ｙの上流側に位置し、他の一方は副走査方向Ｙの下流側に位置するように互いに位置をずらして配置されている。
【００２３】
また、プロセスカラー用の記録ヘッド１０ａの両側には、背景用の白インクを吐出する白インク用記録ヘッド１０ｂが、それぞれ２つを一群として設けられており、一方は前記副走査方向Ｙの上流側に位置し、他の一方は副走査方向Ｙの下流側に位置するように互いに位置をずらして配置されている。なお、本実施形態では背景用のインクとして白インクを用いているが、背景印刷に適するインクであれば、白インクに限定されない。
【００２４】
各記録ヘッド１０は、外形が略直方体状に形成されており、長手方向が互いに平行となるように主走査方向Ｘに並んで配置されている。また、各記録ヘッド１０の記録媒体Ｐの記録面に対向する面には、インクを吐出する複数のノズル１１が記録ヘッド１０の長手方向に直列して形成されている。
【００２５】
前記キャリッジ５には、インクを貯蔵し記録ヘッド１０にインクを供給する中間タンク１２が各記録ヘッド１０ａ、記録ヘッド１０ｂに対応する数備えられ、各記録ヘッド１０は、この中間タンク１２とインク供給管１３を介して連通されている。なお、この中間タンク１２は、図示しないインク供給路によって、キャリッジ５の移動範囲の一端であって前記プラテン７の外側に設けられたインクタンク８と連通している。なお、キャリッジ５の移動可能範囲であってインクタンク８の上方は、キャリッジ５の待機場所となるホームポジション領域（図示せず）とされている。また、キャリッジ５の移動範囲の他の一端部であってプラテン７を挟んで前記インクタンク８と反対の位置には、記録ヘッド１０のメンテナンス作業を行うメンテナンスユニット９が配設されている。
【００２６】
前記キャリッジ５の内側であって背景用インクの記録ヘッド１０ｂとキャリッジ５の側壁との間及び背景インク用の記録ヘッド１０ｂとプロセスカラーインク用の記録ヘッド１０ａとの間には、記録媒体Ｐ上に着弾したインクに紫外線を照射するための紫外線照射装置１４がそれぞれ１つずつ設けられている。
【００２７】
紫外線照射装置１４は、一端面に開口を有する凹型に形成されたカバー部材１６を備えており、カバー部材１６の開口が記録媒体Ｐの記録面に対向するように配置されている。また、カバー部材１６の上面であって記録媒体Ｐの記録面に対して略平行に形成された面には、記録媒体Ｐ上に着弾した紫外線硬化インクを硬化、定着させる紫外線を照射する棒状の紫外線光源１５が複数設けられており、各々の紫外線光源１５は互いの長手方向が平行となるように配設されている。なお、この紫外線光源１５としては、高圧水銀ランプ、メタルハライドランプ、熱陰極管、冷陰極管、ＬＥＤ等の光源が用いられる。
【００２８】
次に、図４を参照しつつ本実施形態における制御装置について説明する。プリンタ本体２には、印刷の種類を選択する入力装置１７が備えられており、この入力装置１７は、入力された情報を受けてプリンタ各部を制御する制御装置１８に接続されている。入力装置１７は、例えばキーボードや操作パネルであり、表刷り片方向印刷、表刷り双方向印刷、裏刷り片方向印刷、裏刷り双方向印刷といった印刷モードを選択できるようになっている。また、制御装置１８は、入力装置１７から入力された画像データ及び制御データを各部に転送するインターフェース１９と、画像データを複数備えられた各記録ヘッド１０にそれぞれ出力する記録ヘッド制御部２１と印刷の種類に応じて作動する紫外線照射装置１４の切り換えを行う紫外線照射制御部２２とを備えており、これらすべてと接続されるＣＰＵ２０を有している。
【００２９】
次に、図５を参照しつつ、本実施形態の作用について説明する。
入力装置１７から印刷モードが選択されると、この情報は電気信号としてインターフェイス１９を通じて制御装置１８内のＣＰＵ２０に送られる。ＣＰＵ２０は、この信号を受けて、紫外線照射制御部２２及び記録ヘッド制御部２１に印刷条件等の情報を伝達する。紫外線照射制御部２２は、伝達された情報に基づいて選択された印刷モードに適合する紫外線照射装置１４の紫外線光源１５を点灯させ、キャリッジ５が記録媒体Ｐ上を図示しない駆動装置により主走査方向Ｘに沿って往復移動する。この際に、記録ヘッド制御部２１はキャリッジ５に搭載された各記録ヘッド１０のうち、選択された印刷条件に合うようにプロセスカラー用記録ヘッド１０ａ及び白インク用記録ヘッド１０ｂからインクを記録媒体Ｐ上に吐出させる。そして、これに紫外線光源１５から紫外線が照射されることによって記録媒体Ｐに画像が記録される。
【００３０】
例えば、入力装置１７から表刷り片方向印刷モードが選択されると、この情報が制御装置１８内のＣＰＵ２０に送られ、さらに紫外線照射制御部２２及び記録ヘッド制御部２１に送られる。その結果、紫外線照射制御部２２が紫外線照射制御装置１４に指示を伝達し、図５（ａ）において斜線で示すように、プロセスカラー用の記録ヘッド１０ａの両側に配置された紫外線照射装置１４の紫外線光源１５が点灯する。そして、キャリッジ５が往路Ａ方向に移動する際には、図５（ａ）において斜線で示すように、往路Ａ方向の上流側に位置する記録ヘッド１０ｂのノズル１２から白インクが吐出され、記録媒体Ｐ上に着弾したインクに対して前記記録ヘッド１０ｂの往路Ａ方向下流側に隣接する紫外線照射装置１４内の紫外線光源１５から紫外線が照射され、白インクを硬化、定着させる。その後、プロセスカラー用記録ヘッド１０ａから所定の印刷情報に基づいて所定の色のインクが吐出され、前記記録ヘッド１０ａの下流側に隣接する紫外線照射装置１３に設けられた紫外線光源１４から紫外線が照射され、プロセスカラーインクを硬化、定着させる。キャリッジ５がホームポジション領域に戻る間（復路Ｂ）に記録媒体Ｐが搬送方向に搬送され、搬送が終了し記録媒体Ｐが停止すると、再度上記印刷作業が繰り返される。
【００３１】
次に、表刷り双方向印刷モードが選択された場合には、表刷り片方向印刷モードが選択された場合と同様、図５（ｂ）において斜線で示すように、プロセスカラー用の記録ヘッド１０ａの両側に配置された紫外線照射装置１４の紫外線光源１５が点灯する。そして、キャリッジ５が往路Ａ方向に移動する際に、往路Ａ方向の左側に位置する記録ヘッド１０ｂのノズル１２から白インクが吐出され、記録媒体Ｐ上に着弾したインクに対して前記記録ヘッド１０ｂの往路Ａ方向下流側に隣接する紫外線照射装置１４内の紫外線光源１５から紫外線が照射され、白インクを硬化、定着させる。その後、プロセスカラー用記録ヘッド１０ａから所定の印刷情報に基づいて所定の色のインクが吐出され、前記記録ヘッド１０ａの往路Ａ方向下流側に隣接する紫外線照射装置１４に設けられた紫外線光源１５から紫外線が照射され、プロセスカラーインクを硬化、定着させる。復路Ｂにおいては、キャリッジ５内の復路Ｂ側に位置する記録ヘッド１０ｂのノズル１２から白インクが吐出され、記録媒体Ｐ上に着弾したインクに対して前記記録ヘッド１０ｂの復路Ｂ方向下流側に隣接する紫外線照射装置１４内の紫外線光源１５から紫外線が照射され、白インクを硬化、定着させる。その後、プロセスカラー用記録ヘッド１０ａから所定の印刷情報に基づいて所定の色のインクが吐出され、前記記録ヘッド１０ａの復路Ｂ方向下流側に隣接する紫外線照射装置１４に設けられた紫外線光源１５から紫外線が照射され、プロセスカラーインクを硬化、定着させる。
【００３２】
また、裏刷り片方向印刷モードが選択されたときには、図５（ｃ）に示すように、キャリッジ５内の復路Ｂ側に位置する白インク用記録ヘッド１０ｂの両側に配設された紫外線照射装置１４の紫外線光源１５が点灯する。そして、プロセスカラー用記録ヘッド１０ａから所定の印刷情報に基づいて所定の色のインクが吐出され、記録媒体Ｐ上に着弾したインクに対して前記記録ヘッド１０ａの往路Ａ方向下流側に隣接する紫外線照射装置１４に設けられた紫外線光源１５から紫外線が照射されることによりプロセスカラーインクが硬化、定着する。その後、図５（ｃ）において斜線で示した背景用記録ヘッド１０ｂから白インクが吐出され、前記記録ヘッド１０ｂの往路Ａ方向下流側に隣接する紫外線照射装置１４に設けられた紫外線光源１５から紫外線が照射され、これにより白インクが硬化、定着する。そして、キャリッジ５がホームポジションに戻る間（復路Ｂ）に記録媒体Ｐが搬送方向Ｙに搬送され、搬送が終了し記録媒体Ｐが停止すると、再度上記印刷作業が繰り返される。
【００３３】
さらに、裏刷り双方向印刷を行う場合には、図５（ｄ）に示すように、キャリッジ５上に搭載されたすべての紫外線照射装置１４の紫外線光源１５が点灯する。そして、まず、プロセスカラー用記録ヘッド１０ａから所定の印刷情報に基づいて所定の色のインクが吐出され、記録媒体Ｐ上に着弾したインクに対して前記記録ヘッド１０ａの往路Ａ方向下流側に隣接する紫外線照射装置１４に設けられた紫外線光源１５から紫外線が照射される。これによりプロセスカラーインクが硬化、定着する。その後、キャリッジ５内の復路Ｂ側に搭載された背景用記録ヘッド１０ｂから白インクが吐出され、前記記録ヘッド１０ｂの往路Ａ方向下流側に隣接する紫外線照射装置１４に設けられた紫外線光源１５から紫外線が照射される。これにより白インクが硬化、定着する。画像が記録された部分につき記録媒体Ｐが搬送された後、記録媒体Ｐが停止すると、キャリッジ５が復路Ｂ方向に移動しながら、プロセスカラー用記録ヘッド１０ａから所定の印刷情報に基づいて所定の色のインクが吐出され、前記記録ヘッド１０ａの復路Ｂ方向下流側に隣接する紫外線照射装置１４に設けられた紫外線光源１５から紫外線が照射され、プロセスカラーインクを硬化、定着させる。その後、キャリッジ５内の往路Ａ側に位置する記録ヘッド１０ｂのノズル１２から白インクが吐出される。そして、記録媒体Ｐ上に着弾したインクに対して前記記録ヘッド１０ｂの復路Ｂ方向下流側に隣接する紫外線照射装置１４内の紫外線光源１５から紫外線が照射され、白インクを硬化、定着させる。
【００３４】
なお、本実施形態において、インクジェットプリンタ１は、表刷り片方向印刷、表刷り双方向印刷、裏刷り片方向印刷、裏刷り双方向印刷という各印刷モードを選択的に行うことができるものとしたが、プリンタの仕様として、例えば表刷り印刷に限定して行うものとしたり、表刷り及び裏刷りの片方向印刷に限定して行うものとしてもよい。
このように印刷モードを限定した場合には、キャリッジ５内の紫外線光源１５の一部は点灯させる必要がないため、この紫外線光源１５を有する紫外線照射装置１４をキャリッジ５に搭載しない構成とすることもできる。このような構成とした場合には、キャリッジ５のさらなる小型化、軽量化を図ることが可能となる。
【００３５】
以上のような本実施形態においては、プロセスカラーインク用の記録ヘッド１０ａの両側に背景色である白インク用の記録ヘッド１０ｂを配置しているので、キャリッジ５が副走査方向Ｙ側に長くなることがなく、白インク用の記録ヘッド１０ｂとプロセスカラーインク用の記録ヘッド１０ａとを同一キャリッジ５内に搭載してもキャリッジ５の安定性を保つことができる。また、プラテン７もこのキャリッジ５の幅だけ平面性を保持できれば足りる。このため、装置の小型、軽量化及び装置構造の簡略化を図ることができ、結果として装置コストの低減を実現することができる。
【００３６】
また、背景用の白インクは、プロセスカラーインクと混ざると画像の滲み等を起こすため、記録媒体Ｐ上に着弾後直ちに完全硬化させる必要があるが、本実施形態においては、白インク用の記録ヘッド１０ｂの両側に紫外線照射装置１４を配置したことにより、背景用インクをインク着弾後、次のプロセスカラーインクの吐出が行われるまでに白インクを完全に硬化、定着させることができるため、印刷画質の低下を起こすことがない。
【００３７】
さらに、表刷り片方向印刷、裏刷り片方向印刷等の印刷モードを選択することにより、制御装置１８が各印刷モードに最も適した記録ヘッド１０及び紫外線照射装置１４を駆動させるので、それぞれの印刷を行うのに必要な記録ヘッド１０及び各記録ヘッド１０から吐出されたインクを効果的に硬化、定着させることのできる紫外線照射装置１４のみが駆動することとなり、背景用インクを用いた表刷り及び裏刷り印刷を効率よく行うことができる。
【００３８】
【発明の効果】
以上説明したように、請求項１に記載された発明によれば、背景インク用記録ヘッドをプロセスカラー用記録ヘッドの主走査方向に延在する位置に配置することにより記録ヘッドを搭載したキャリッジが記録媒体搬送方向に長くなることがない。そのため、複数のガイドレールを設けなくてもキャリッジを安定させることができ、また、プラテンもこのキャリッジの幅だけ平面性を保持できれば足りるため、装置の小型、軽量化及び装置構造の簡略化を図ることができ、結果として装置コストの低減を実現することができるという効果がある。
【００３９】
また、背景インク用記録ヘッドの両側に紫外線照射装置を配置したことにより、背景用インクをインク着弾後早期に硬化、定着させることができるため、表刷り及び裏刷り印刷において背景用インクがプロセスカラーインクと混ざり合って画像の滲み等の印刷画質の低下を起こすことがないという効果がある。
【００４０】
次に、請求項２に記載の発明によれば、希望する印刷モードを選択することにより、各印刷モードに最も適した記録ヘッド及び紫外線照射装置が選択され、駆動することとなるので、背景用インクを用いた表刷り及び裏刷り印刷を効率的かつ効果的に行うことができるという効果がある。
【００４１】
さらに、請求項３に記載の発明によれば、シリアルプリント方式のインクジェットプリンタによって背景用インクを用いた表刷り印刷及び裏刷り印刷を行う場合に、記録ヘッドを主走査方向に並べて配置することにより、キャリッジの安定を図りつつ、装置の小型、軽量化を実現できるという効果がある。
【００４２】
また、請求項４に記載の発明によれば、紫外線硬化インクを用いて表刷り印刷及び裏刷り印刷を行う場合にも、背景用インクがプロセスカラーインクと混ざり合って滲みを起こすことがなく、高画質な印刷を行うことができる。
【００４３】
次に、請求項５に記載の発明によれば、背景用インクとして、白色インクを用いるので、表刷り印刷及び裏刷り印刷を行った場合に、プロセスカラーによって印刷される画像をより際立たせることができるという効果がある。
【００４４】
さらに、請求項６に記載の発明は、透明又は半透明の樹脂製フィルムに対して表刷り印刷及び裏刷り印刷を行うことができるので、軟包装素材に対する印刷を行う場合にも高画質な画像形成を行うことができるという効果がある。
【図面の簡単な説明】
【図１】本発明に係るインクジェットプリンタの一実施形態の要部構成を示した斜視図である。
【図２】図２（ａ）は、図１のインクジェットプリンタに備わるキャリッジを示した斜視図である。図２（ｂ）は、図２（ａ）に示すインクジェットプリンタのキャリッジの底面図である。
【図３】キャリッジに備わる記録ヘッド及び紫外線照射装置の配置を示した模式図である。
【図４】本実施の形態に係る制御装置の概略を示した要部ブロック図である。
【図５】図５（ａ）〜（ｄ）は、本実施形態の各印刷モードにおける紫外線照射装置と背景インク用記録ヘッドの駆動状態を示した模式図である。
【符号の説明】
１  インクジェットプリンタ
２  プリンタ本体
３  支持台
４  ガイドレール
５  キャリッジ
７  プラテン
８  インクタンク
９  メンテナンスユニット
１０ａ，ｂ  記録ヘッド
１１  ノズル
１２  中間タンク
１３  インク供給管
１４  紫外線照射装置
１５  紫外線光源
１６  カバー部材
１７  入力装置
１８  制御装置
１９  インターフェース
２０  ＣＰＵ
２１  記録ヘッド制御部
２２  紫外線照射制御部
Ｐ  記録媒体
Ｘ  主走査方向
Ｙ  記録媒体搬送方向
【図１】
2004202864.tif 000003
【図２】
2004202864.tif 000004
【図３】
2004202864.tif 000005
【図４】
2004202864.tif 000006
【図５】
2004202864.tif 000007